(57)【要約】【課題】光源の数を削減する場合でも、導光板の形状が複雑になるのを抑制し、かつ、額縁の幅が大きくなるのを抑制しながら表示部に明暗ムラができるのを抑制することが可能な表示装置を提供する。【解決手段】このＴＶ１００（表示装置）は、ＴＶ本体１００ａと、ＴＶ本体１００ａの前面側に配置される表示部１１と、表示部１１に光を供給するＬＥＤ４２と、ＬＥＤ４２に対向するように配置されるとともに、ＬＥＤ４２から出射された光が入射する側面からなる第１光入射面５１と、第１光入射面５１と反対側の側面に設けられ第１光入射面５１から光を出射させる第１光出射面５２とを有する第１導光板５と、第１導光板５と重なるように配置され、第１導光板５の第１光出射面５２から出射された光を表示部１１に導く第２導光板７と、第１導光板５と第２導光板７との間に配置された反射シート６ｂとを備える。【選択図】図２
2014086406.tif 000002
【特許請求の範囲】
【請求項１】
表示装置本体と、
前記表示装置本体の前面側に配置され、画像を表示する表示部と、
前記表示部に光を供給する光源と、
前記光源に対向するように配置されるとともに、前記光源から出射された光が入射する側面からなる光入射面と、前記光入射面と反対側の側面に設けられ前記光入射面から入射した光を出射させる光出射面とを有する第１導光板と、
前記第１導光板と重なるように配置され、前記第１導光板の光出射面から出射された光を前記表示部に導く第２導光板と、
前記第１導光板と前記第２導光板との間に配置された第１反射部材とを備える、表示装置。
【請求項２】
前記第１導光板および前記第２導光板は、略長方形形状を有し、
前記第１導光板の長辺は、前記第２導光板の短辺に沿って延びるように形成され、
前記光源は、前記第１導光板の長辺に対向するように配置されている、請求項１に記載の表示装置。
【請求項３】
前記光源は、前記第１導光板の長辺に沿った方向に所定の間隔を隔てて複数個設けられ、
前記複数個の光源は、前記第１導光板の長辺に対向するように配置されている、請求項２に記載の表示装置。
【請求項４】
前記表示部は、画像を表示可能な画像表示領域を有し、
前記第１導光板は、前記表示部の画像表示領域に少なくとも一部が重なるように配置されるとともに、前記第２導光板の背面側に配置されている、請求項１〜３のいずれか１項に記載の表示装置。
【請求項５】
前記第１反射部材は、前記第１導光板と前記第２導光板との間のみならず、前記第２導光板の背面側の略全体にわたって配置されている、請求項１〜４のいずれか１項に記載の表示装置。
【請求項６】
前記第１導光板の背面側に配置される第２反射部材をさらに備え、
前記第２反射部材は、前記第１導光板の背面側の略全体にわたって配置されている、請求項１〜５のいずれか１項に記載の表示装置。
【請求項７】
前記光源を実装する光源基板をさらに備え、
前記光源基板を固定するとともに、前記第１導光板に対して略平行に形成されたヒートシンクをさらに備え、
前記光源は、素子の側方から光を出射させるサイドビュー型の発光素子であり、
前記光源基板が前記ヒートシンクの前記第１導光板側に固定された状態で、前記発光素子の側方が前記導光板の光入射面に対向するように構成されている、請求項１〜６のいずれか１項に記載の表示装置。
【請求項８】
前記第１導光板は、前記光入射面としての第１光入射面を有し、
前記第２導光板は、前記第１導光板の光出射面から出射された光が入射する第２光入射面を有し、
前記光源から出射された光が進む方向であり、かつ、前記光源の略正面には、前記第１導光板の光出射面から出射された光を前記第２導光板の第２光入射面に導くリフレクタが配置されている、請求項１〜７のいずれか１項に記載の表示装置。
【発明の詳細な説明】
【技術分野】
【０００１】
この発明は、表示装置に関し、特に、光源と導光板とを含む表示装置に関する。
【背景技術】
【０００２】
従来、光源と導光板とを含む表示装置が知られている（たとえば、特許文献１参照）。
【０００３】
上記特許文献１には、面状照明装置本体（表示装置本体）と、面状照明装置本体の前面側に配置され、画像を表示する被照明体（表示部）と、被照明体に光を供給する点光源（光源）とを備える面状照明装置（表示装置）が開示されている。この面状照明装置は、点光源が配置されるとともに、点光源から出射された光が入射する側面（光入射面）と、側面に対して垂直に設けられ側面から入射した光を出射させる光出射面とを有する線状導光体と、線状導光体と重なるように配置され、線状導光体の光出射面から出射された光を被照明体に導く導光板とを備える。また、線状導光体は、側面から入射した光の進行方向を側面に対して垂直な光出射面に向かう方向に変えるように光出射面と反対側の面が凹凸面に形成されている。また、線状導光体は、光を線状導光体内部で広げて光出射面に導くように構成されている。
【０００４】
また、この面状照明装置では、線状導光体を設けて導光板の表示領域に対応する部分に到達するまでの光路長を長くすることによって、光を十分に広げた状態で導光板の表示領域に対応する部分に到達させている。これにより、点光源の数を削減した場合でも、表示部に明暗ムラができるのを抑制している。また、線状導光体を導光板と重なるように配置することによって、導光板の外形（画像表示領域の外側の部分）が大きくなるのを抑制している。これらの結果、面状照明装置の額縁の幅が大きくなるのを抑制しながら導光板の一部が暗くなる（明暗ムラができる）のを抑制して、点光源の数を削減している。
【先行技術文献】
【特許文献】
【０００５】
【特許文献１】特開２００３−３１０１６号公報
【発明の概要】
【発明が解決しようとする課題】
【０００６】
しかしながら、上記特許文献１の面状照明装置では、線状導光体の側面から入射した光の進行方向を側面に対して垂直な光出射面に向かう方向に変えるために光出射面と反対側の面を凹凸面に形成する必要があるので、線状導光体（導光板）の形状が複雑になるという問題点がある。
【０００７】
この発明は、上記のような課題を解決するためになされたものであり、この発明の１つの目的は、光源の数を削減する場合でも、導光板の形状が複雑になるのを抑制し、かつ、額縁の幅が大きくなるのを抑制しながら表示部に明暗ムラができるのを抑制することが可能な表示装置を提供することである。
【課題を解決するための手段】
【０００８】
この発明の一の局面による表示装置は、表示装置本体と、表示装置本体の前面側に配置され、画像を表示する表示部と、表示部に光を供給する光源と、光源に対向するように配置されるとともに、光源から出射された光が入射する側面からなる光入射面と、光入射面と反対側の側面に設けられ光入射面から入射した光を出射させる光出射面とを有する第１導光板と、第１導光板と重なるように配置され、第１導光板の光出射面から出射された光を表示部に導く第２導光板と、第１導光板と第２導光板との間に配置された第１反射部材とを備える。
【０００９】
この発明の一の局面による表示装置では、上記のように、光源に対向するように配置されるとともに、光源から出射された光が入射する側面からなる光入射面と、光入射面と反対側の側面に形成され光入射面から入射した光を出射させる光出射面とを有する第１導光板を設けることによって、光入射面に対向する光源から出射された光の進行方向を変えることなく、光入射面と反対側の側面に設けられた光出射面から光を出射させることができるので、光入射面から入射した光の進行方向を光入射面に対して垂直方向に変えるように第１導光板の側面を凹凸面に形成する必要がなく、その結果、第１導光板の形状が複雑になるのを抑制することができる。また、第１導光板を第２導光板と重なるように配置することによって、平面視で第２導光板の外形（画像表示領域の外側の部分）が大きくなるのを抑制しながら光源から出射された光を第１導光板内部で広げて第２導光板に導くことができるので、光源の数を削減した場合でも表示装置の額縁の幅が大きくなるのを抑制しながら、表示部の明暗ムラができるのを抑制することができる。したがって、この表示装置では、光源の数を削減する場合でも、第１導光板の形状が複雑になるのを抑制し、かつ、表示装置の額縁の幅が大きくなるのを抑制しながら表示部に明暗ムラができるのを抑制することができる。また、第１導光板と第２導光板との間に第１反射部材を設けることによって、第１導光板から第２導光板に光が漏れるのを抑制することができるので、これにより、表示部に明暗ムラができるのをより抑制することができる。
【００１０】
上記一の局面による表示装置において、好ましくは、第１導光板および第２導光板は、略長方形形状を有し、第１導光板の長辺は、第２導光板の短辺に沿って延びるように形成され、光源は、第１導光板の長辺に対向するように配置されている。このように構成すれば、第１導光板の長辺に光源が対向しているので、第１導光板の短辺に光源が対向している場合と異なり、複数個の光源を配置する場合でも、容易に長辺に対向して配置させることができ、要求される輝度を確保することができる。
【００１１】
この場合、好ましくは、光源は、第１導光板の長辺に沿った方向に所定の間隔を隔てて複数個設けられ、複数個の光源は、第１導光板の長辺に対向するように配置されている。このように構成すれば、第１導光板の長辺に所定の間隔を隔てた状態で複数個の光源が対向しているので、複数の光源から出射される光を均等に長辺から第１導光板に入射させることができ、要求される輝度を確保しながら表示部に明暗ムラができるのをさらに抑制することができる。
【００１２】
上記一の局面による表示装置において、好ましくは、表示部は、画像を表示可能な画像表示領域を有し、第１導光板は、表示部の画像表示領域に少なくとも一部が重なるように配置されるとともに、第２導光板の背面側に配置されている。このように構成すれば、第１導光板を第２導光板と重なるように配置した状態で第１導光板の面積を大きくすることができるので、平面視で第２導光板の外形（画像表示領域の外側の部分）が大きくなるのを抑制しながら光源から出射された光を第１導光板内部で効果的に広げて第２導光板に導くことができる。その結果、光源の数を削減した場合でも表示装置の額縁の幅が大きくなるのを抑制しながら、表示部の明暗ムラをさらに抑制することができる。
【００１３】
上記一の局面による表示装置において、好ましくは、第１反射部材は、第１導光板と第２導光板との間のみならず、第２導光板の背面側の略全体にわたって配置されている。このように構成すれば、第１反射部材が、第２導光板の背面側から光が漏れるのを抑制するための反射部材としても兼用されるので、第２導光板の背面側から光が漏れるのを抑制するための反射部材を別途設ける必要がなく、その分、部品点数の増加を抑制することができる。
【００１４】
上記一の局面による表示装置において、好ましくは、第１導光板の背面側に配置される第２反射部材をさらに備え、第２反射部材は、第１導光板の背面側の略全体にわたって配置されている。このように構成すれば、第２反射部材により、第１導光板から第１導光板の背面に光が漏れるのを抑制することができるので、第１導光板から第１導光板の背面に光が漏れたことに起因して第２導光板に入射する光が減少するのを抑制することができる。その結果、表示装置（表示部）の輝度が低下するのを抑制することができる。
【００１５】
上記一の局面による表示装置において、好ましくは、光源を実装する光源基板をさらに備え、光源基板を固定するとともに、第１導光板に対して略平行に形成されたヒートシンクをさらに備え、光源は、素子の側方から光を出射させるサイドビュー型の発光素子であり、光源基板がヒートシンクの第１導光板側に固定された状態で、発光素子の側方が導光板の光入射面に対向するように構成されている。このように構成すれば、素子の上方から光を出射させる発光素子である光源を用いる場合と異なり、光源基板の光源が実装された面が、ヒートシンクに平行になるように配置されるので、第１導光板と第２導光板とが重なる方向に厚みが増すのを抑制することができる。
【００１６】
この場合、好ましくは、第１導光板は、光入射面としての第１光入射面を有し、第２導光板は、第１導光板の光出射面から出射された光が入射する第２光入射面を有し、光源から出射された光が進む方向であり、かつ、光源の略正面には、第１導光板の光出射面から出射された光を第２導光板の第２光入射面に導くリフレクタが配置されている。このように構成すれば、リフレクタにより、容易に、第１導光板の光出射面から出射された光を第２導光板の第２光入射面に導くことができる。
【発明の効果】
【００１７】
本発明によれば、上記のように、光源の数を削減する場合でも、導光板の形状が複雑になるのを抑制し、かつ、額縁の幅が大きくなるのを抑制しながら表示部に明暗ムラができるのを抑制することができる。
【図面の簡単な説明】
【００１８】
【図１】本発明の一実施形態によるＴＶの全体構成を示した斜視図である。
【図２】図１の５００−５００線に沿った断面図である。
【図３】図２の６００−６００線に沿った断面図である。
【図４】本発明の一実施形態によるＴＶの第１導光板に対向するＬＥＤを拡大した図である。
【図５】本発明の一実施形態の第１変形例によるＴＶの第１導光板に対向するＬＥＤを拡大した図である。
【図６】本発明の一実施形態の第２変形例によるＴＶのリフレクタを示した図である。
【図７】本発明の一実施形態の第３変形例によるＴＶのリフレクタを示した図である。
【発明を実施するための形態】
【００１９】
以下、図１〜図４を参照して、本発明の一実施形態によるＴＶ（テレビジョン装置）１００の構成について説明する。なお、ＴＶ１００は、本発明の「表示装置」の一例である。
【００２０】
本発明の一実施形態によるＴＶ１００は、図１に示すように、開口部１ａを有するフロントフレーム１と、リアフレーム２（図２参照）とを備える。また、フロントフレーム１の開口部１ａからは後述する反射防止シート１２が露出されるように構成されている。なお、ＴＶ本体１００ａは、本発明の「表示装置本体」の一例である。
【００２１】
また、ＴＶ１００の内部には、図２に示すように、ヒートシンク３と、ＬＥＤ４２を含むＬＥＤモジュール４とが配置されている。また、ＴＶ１００の内部には、第１導光板５と、反射シート６ａおよび６ｂと、第２導光板７と、リフレクタ８と、光学シート９と、樹脂フレーム１０とが配置されている。また、樹脂フレーム１０の前面側（Ｘ１方向側）には、表示部１１と、反射防止シート１２とが配置されている。また、表示部１１は、主に液晶セルにより構成されている。また、表示部１１は、ＴＶ本体１００ａの前面側に配置されるとともに、フロントフレーム１の開口部１ａにより形成された領域に画像を表示する画像表示領域を有している。また、ＴＶ１００は、受信部２０（図１参照）により放送信号を受信可能なように構成されている。なお、ＬＥＤ４２は、本発明の「光源」の一例である。
【００２２】
ヒートシンク３は、ＬＥＤ４２の熱を放熱する機能を有している。また、ヒートシンク３は、金属（板金）により構成されている。また、ヒートシンク３は、図２および図４に示すように、ヒートシンク本体部３１と、ＬＥＤ基板固定部３２と含んでいる。また、図２に示すように、ヒートシンク３（ヒートシンク本体部３１）の背面側（Ｘ２方向側）には、リアフレーム２が配置されている。また、図２および図４に示すように、ヒートシンク本体部３１は、Ｙ方向に延びるように平坦面状に形成されている。また、ＬＥＤ基板固定部３２は、ヒートシンク３のＹ２方向側の一部が前面側（Ｘ１方向側）に略垂直に折り曲げられて形成されている。
【００２３】
ここで、本実施形態では、ＬＥＤモジュール４は、図３に示すように、ＬＥＤ基板４１と、ＬＥＤ基板４１に実装される複数個のＬＥＤ４２とを含んでいる。また、ＬＥＤ基板４１は、図示しない両面テープによりＬＥＤ基板固定部３２に貼付されて固定されるように構成されている。また、ＬＥＤ４２は、後述する第１導光板５の第１光入射面５１（第１導光板５の長辺）に沿った方向（Ｚ方向）に所定の間隔を隔てて複数個設けられている。また、ＬＥＤ４２は、表示部１１に光を供給するように構成されている。また、ＬＥＤ４２は、光出射面４２１（素子の上方）から光を出射させるトップビュー型のＬＥＤである。また、ＬＥＤモジュール４は、図２〜図４に示すように、ＴＶ本体１００ａ（図１参照）を正面から見た場合に、左側（Ｙ２方向側）に配置されるように構成されている。
【００２４】
また、本実施形態では、第１導光板５は、表示部１１に光を導く機能を有している。また、図３に示すように、第１導光板５は、略長方形形状を有している。また、第１導光板５は、図２〜図４に示すように、ＬＥＤ４２に対向するように配置されるとともに、ＬＥＤ４２から出射された光が入射する側面からなる第１光入射面５１と、第１光入射面５１と反対側（Ｙ２方向側）の側面に設けられ第１光入射面５１から入射した光を出射させる第１光出射面５２とを有している。また、第１光入射面５１（Ｙ１方向側の長辺）には、図３に示すように、複数個のＬＥＤ４２が対向するように配置されている。また、第１光入射面５１は、図２〜図４に示すように、第１導光板５のＹ１方向側に設けられている。また、第１光入射面５１は、第１光出射面５２に対して略平行になるように構成されている。また、第１導光板５のＹ１方向側の一部は、表示部１１の画像表示領域に重なるように配置されている。第１光入射面５１は、ＬＥＤ４２の光出射面４２１の略正面に配置されている。また、図４に示すように、Ｘ方向において、第１光入射面５１は、ＬＥＤ４２の幅Ｗ１よりも大きい厚みｔ１を有するように構成されている。なお、第１光入射面５１は、本発明の「光出射面」の一例である。
【００２５】
また、本実施形態では、図２および図４に示すように、光が漏れるのを抑制する反射シート６ａが、第１導光板５の背面側（Ｘ２方向側）に配置されている。また、反射シート６ａは、第１導光板５の背面側の略全体にわたって配置されている。すなわち、Ｘ２方向側から見て、反射シート６ａは第１導光板５に対応する形状に形成されている。なお、反射シート６ａは、本発明の「第２反射部材」の一例である。
【００２６】
また、本実施形態では、図２および図４に示すように、光が漏れるのを抑制する反射シート６ｂが、第１導光板５と第２導光板７との間に配置されている。また、反射シート６ｂは、第１導光板５の前面５３の全体を覆うように形成されている。また、反射シート６ｂは、第１導光板５と第２導光板７との間のみならず、第２導光板７の背面側（Ｘ２方向側）の略全体にわたって配置されている。すなわち、反射シート６ｂは、Ｘ方向から見て、反射シート６ｂは第２導光板７に対応する形状に形成されている。また、反射シート６ａおよび６ｂは、同じ材料（たとえば、ポリエステル）により形成されている。なお、反射シート６ｂは、本発明の「第１反射部材」の一例である。
【００２７】
また、本実施形態では、第２導光板７は、図２および図４に示すように、第１導光板５と重なるように配置され、第１導光板５の第１光出射面５２から出射された光を表示部１１（図２参照）に導くように構成されている。具体的には、第２導光板７は、ＴＶ本体１００ａのＹ２方向側において、第１導光板５の前面側（Ｘ１方向側）に配置されている。また、第２導光板７は、略長方形形状（図１参照）を有している。また、第２導光板７は、Ｙ２方向側に第１導光板５の第１光出射面５２から出射された光が入射する第２光入射面７１を有している。また、第２導光板７は、前面側の表示部１１に向けて光を出射する第２光出射面７２を有している。また、第１導光板５の第１光入射面５１（Ｙ１方向側の長辺）と、第１光出射面５２（Ｙ２方向側の長辺）とは、それぞれ、第２導光板７の第２光入射面７１（短辺）に沿って延びるように形成されている。また、第２導光板７の背面側（Ｘ２方向側）には、第１導光板５が配置されている。また、第２導光板７の第２光入射面７１は、図３に示すように、第１導光板５の第１光入射面５１および第１光出射面５２と同じ幅Ｗ２を有している。また、第２導光板７は、第１導光板５よりも大きい面積を有している。また、第２導光板７の第２光入射面７１は、図２および図４に示すように、第１導光板５の第１光出射面５２および反射シート６ｂの端面６１ｂと面一になるように構成されている。また、第２導光板７は、図４に示すように、第１導光板５の厚みｔ１と同じ厚みｔ２を有するように構成されている。また、第１導光板５と第２導光板７とは同一の材料（たとえば、アクリル樹脂）により形成されている。
【００２８】
リフレクタ８は、図２および図４に示すように、第１導光板５の第１光出射面５２から出射された光を第２導光板７の第２光入射面７１に導く機能を有している。また、リフレクタ８は、ＬＥＤ４２から出射された光が進む方向（Ｙ２方向）であり、かつ、ＬＥＤ４２の略正面に配置されている。また、リフレクタ８は、光を反射させる反射部８１がＵ字断面形状に形成されている。また、リフレクタ８は、反射シート６ａおよび６ｂと同じ材料により形成されている。また、リフレクタ８は、Ｚ方向に沿って、第１導光板５の第１光出射面５２および第２導光板７の第２光入射面７１を覆うように配置されている。また、リフレクタ８は、Ｘ方向の外側から、第１導光板５と、反射シート６ａおよび６ｂと、第２導光板７とを挟み込むように構成されている。
【００２９】
また、図２に示すように、第２導光板７の前面側（Ｘ１方向側）には、第２導光板７の第２光出射面７２から出射される光を効率よく表示部１１に伝達する光学シート９が設けられている。
【００３０】
樹脂フレーム１０は、図２に示すように、第１導光板５および第２導光板７をＴＶ本体１００ａに固定する機能を有している。具体的には、第１導光板５および第２導光板７は、樹脂フレーム１０とリアフレーム２とに挟まれた状態でＴＶ本体１００ａに固定されるように構成されている。
【００３１】
表示部１１は、図２に示すように、樹脂フレーム１０の前面側（Ｘ１方向側）に配置されている。また、反射を防止する反射防止シート１２は、表示部１１の前面側に配置されている。
【００３２】
本実施形態では、上記のように、ＬＥＤ４２に対向するように配置するとともに、ＬＥＤ４２から出射された光が入射する第１光入射面５１と、第１光入射面５１と反対側に形成され入射した光を出射させる第１光出射面５２とを有する第１導光板５を設けることによって、第１光出射面５２に対向するＬＥＤ４２から出射された光の進行方向を変えることなく、第１光入射面５１と反対側に設けられた第１光出射面５２から光を出射させることができるので、第１光入射面５１から入射した光の進行方向を第１光入射面５１に対して垂直方向に変えるように第１導光板５の側面を凹凸面に形成する必要がなく、その結果、第１導光板５の形状が複雑になるのを抑制することができる。また、第１導光板５を第２導光板７と重なるように配置することによって、平面視で第２導光板７の外形（画像表示領域の外側の部分）が大きくなるのを抑制しながらＬＥＤ４２から出射された光を第１導光板５内部で広げて第２導光板７に導くことができるので、ＬＥＤ４２の数を削減した場合でもＴＶ１００の額縁の幅が大きくなるのを抑制しながら、表示部１１に明暗ムラができるのを抑制することができる。したがって、このＴＶ１００では、ＬＥＤ４２の数を削減する場合でも、第１導光板５の形状が複雑になるのを抑制し、かつ、ＴＶ１００の額縁の幅が大きくなるのを抑制しながら表示部１１に明暗ムラができるのを抑制することができる。また、第１導光板５と第２導光板７との間に反射シート６ｂを設けることによって、第１導光板５から第２導光板７に光が漏れるのを抑制することができるので、これにより、表示部に明暗ムラができるのをより抑制することができる。
【００３３】
本実施形態では、上記のように、略長方形形状を有し、第１導光板５の第１光出射面５２（長辺）は、第２導光板７の第２光入射面７１（短辺）に沿って延びるように第１導光板５および第２導光板７を形成するとともに、第１導光板５の第１光出射面５２に対向するようにＬＥＤ４２を配置する。これにより、容易に第１導光板５の第１光入射面５１（長辺）に対向して複数個のＬＥＤ４２を配置させることができ、要求される輝度を確保することができる。
【００３４】
本実施形態では、上記のように、第１導光板５の第１光入射面５１（長辺）に沿った方向に所定の間隔を隔てて複数個のＬＥＤ４２を設けるとともに、第１導光板５の第１光入射面５１（長辺）に対向するように複数個のＬＥＤ４２を配置する。これにより、第１導光板５の第１光入射面５１（長辺）に所定の間隔を隔てた状態で複数個のＬＥＤ４２が対向しているので、複数のＬＥＤ４２から出射される光を均等に第１光入射面５１（長辺）から第１導光板５に入射させることができ、要求される輝度を確保しながら表示部１１に明暗ムラができるのをさらに抑制することができる。
【００３５】
本実施形態では、上記のように、表示部１１の画像表示領域に一部が重なるとともに、第２導光板７の背面側に第１導光板５を配置する。これにより、第１導光板５を第２導光板７と重なるように配置した状態で第１導光板５の面積を大きくすることができるので、平面視で第２導光板７の外形（画像表示領域の外側の部分）が大きくなるのを抑制しながらＬＥＤ４２から出射された光を第１導光板５内部で効果的に広げて第２導光板７に導くことができる。その結果、ＬＥＤ４２の数を削減した場合でもＴＶ１００の額縁の幅が大きくなるのを抑制しながら、表示部１１の明暗ムラをさらに抑制することができる。
【００３６】
本実施形態では、上記のように、第１導光板５と第２導光板７との間のみならず、第２導光板７の背面側の略全体にわたって反射シート６ａを配置する。これにより、反射シート６ａが、第２導光板７の背面側から光が漏れるのを抑制するための反射部材としても兼用されるので、第２導光板７の背面側から光が漏れるのを抑制するための反射部材を別途設ける必要がなく、その分、部品点数の増加を抑制することができる。
【００３７】
本実施形態では、上記のように、第１導光板５の背面側の略全体にわたって反射シート６ｂを配置する。これにより、反射シート６ｂにより、第１導光板５から背面に光が漏れるのを抑制することができるので、第１導光板５から背面に光が漏れたことに起因して第２導光板７に入射する光が減少するのを抑制することができる。その結果、表示装置（表示部１１）の輝度が低下するのを抑制することができる。
【００３８】
本実施形態では、上記のように、ＬＥＤ４２から出射された光が進む方向であり、かつ、ＬＥＤ４２の略正面に、第１導光板５の第１光出射面５２から出射された光を第２導光板７の第２光入射面７１に導くリフレクタ８を配置する。これにより、リフレクタ８により、容易に、第１導光板５の第１光出射面５２から出射された光を第２導光板７の第２光入射面７１に導くことができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明を表示装置としてのＴＶ（テレビジョン装置）に適用する例を示したが、本発明はこれに限られない。本発明は、ＰＣ（Ｐｅｒｓｏｎａｌ  Ｃｏｍｐｕｔｅｒ）のモニタなどの他の表示装置にも適用可能である。
【００４１】
上記実施形態では、第１導光板の第１光入射面（光入射面）と第１光出射面（光出射面）とが平行である例を示したが、本発明はこれに限られない。本発明では、第１導光板の光入射面と光出射面とが平行でなくてもよい。
【００４２】
上記実施形態では、第１導光板と、第１導光板に対向するように配置されたＬＥＤ（光源）とを、ＴＶ装置本体（表示装置本体）のＹ２方向側に設けた例を示したが、本発明はこれに限られない。本発明では、第１導光板と、第１導光板に対向するように配置された光源とを表示装置本体のＹ１方向側に設けてもよい。また、表示装置本体のＹ１方向側およびＹ２方向側の両方に、第１導光板と、第１導光板に対向するように配置された光源とを設けてもよい。
【００４３】
上記実施形態では、第１導光板の光出射面と第２導光板の光入射面とが面一である例を示したが、本発明はこれに限られない。本発明では、第１導光板の光出射面と第２導光板の光入射面とが面一でなくてもよい。また、第１導光板の光出射面と第２導光板の光入射面とが平行でなくてもよい。
【００４４】
上記実施形態では、第１導光板の一部が画像表示領域に重なる例を示したが、本発明はこれに限られない。本発明では、第１導光板の全部が画像表示領域に重なってもよい。また、第１導光板が画像表示領域に重ならなくてもよい。
【００４５】
上記実施形態では、第１導光板と第２導光板とが、略同じ厚みを有する例を示したが、本発明はこれに限られない。本発明では、第１導光板と第２導光板とが、異なる厚みを有していてもよい。
【００４６】
上記実施形態では、素子の上方から光を出射させるトップビュー型のＬＥＤ（光源）をＬ字形状のヒートシンクに設けた例を示したが、本発明はこれに限られない。本発明では、図５に示す第１変形例のように、素子の側方１４２ａから光を出射させるサイドビュー型の光源１４２を第１導光板に対して略平行に形成されたヒートシンクに設けてもよい。具体的には、光源基板１０４が、第１導光板に対して略平行に形成されたヒートシンクの第１導光板側（Ｘ１方向側）に固定された状態で、発光素子の側方１４２ａが導光板の光入射面に対向するように構成されている。
【００４７】
上記実施形態では、反射部がＵ字断面形状のリフレクタを設ける例を示したが、本発明はこれに限られない。本発明では、図６に示す第２変形例のように、反射部１８１が三角断面形状のリフレクタ１０８を設けてもよい。また、図７に示す第３変形例のように、反射部２８１が凹断面形状のリフレクタ２０８を設けてもよい。
【符号の説明】
【００４８】
３、１０３  ヒートシンク
５  第１導光板
６ａ、６ｂ  反射シート（反射部材）
８、１８１、２８１  リフレクタ
７  第２導光板
１１  表示部
４１  ＬＥＤ基板（光源基板）
４２、１４２  ＬＥＤ（光源）
５１  第１光入射面（光入射面）
５２  第１光出射面（光出射面）
７１  第２光入射面
１００  ＴＶ（表示装置）
１００ａ  ＴＶ本体（表示装置本体）
１４２ａ  側面
【図１】
2014086406.tif 000003
【図２】
2014086406.tif 000004
【図３】
2014086406.tif 000005
【図４】
2014086406.tif 000006
【図５】
2014086406.tif 000007
【図６】
2014086406.tif 000008
【図７】
2014086406.tif 000009